(57)【要約】【課題】  ワークの加工時に静電気の発生を抑制又は防止することができるブラシ毛素材を提供すること。【解決手段】  ブラシ毛素材１は、線状の金属ブラシ毛素材２と、静電気の発生を抑制又は防止する線状のブラシ毛素材である静電気防止ブラシ毛素材３とを有する芯材部４の周囲を、樹脂に砥粒を混入して形成された砥粒混入樹脂素材５によって覆ってなる。静電気防止ブラシ毛素材３を有することにより、ワークの加工時に静電気の発生を効果的に抑制又は防止することができる。【選択図】  図１
2017170080.tif 000002
【特許請求の範囲】
【請求項１】
線状の金属ブラシ毛素材と、静電気の発生を抑制又は防止する線状のブラシ毛素材である静電気防止ブラシ毛素材とを有する芯材部の周囲を、樹脂に砥粒を混入して形成された砥粒混入樹脂素材によって覆ってなることを特徴とするブラシ毛素材。
【請求項２】
線状の金属ブラシ毛素材と、静電気の発生を抑制又は防止する線状のブラシ毛素材である静電気防止ブラシ毛素材と、線状の紙ブラシ毛素材と、を含む芯材部の周囲を、樹脂素材によって覆ってなることを特徴とするブラシ毛素材。
【請求項３】
前記芯材部は、線状の樹脂ブラシ毛素材を更に有することを特徴とする請求項１又は２に記載のブラシ毛素材。
【請求項４】
前記ブラシ毛素材の周囲を、静電気の発生を抑制又は防止する樹脂素材である静電気防止樹脂素材によって覆ってなることを特徴とする請求項１から請求項３のいずれか一つに記載のブラシ毛素材。
【請求項５】
請求項１から請求項４のいずれか一つに記載のブラシ毛素材を備えたことを特徴とするブラシ。
【発明の詳細な説明】
【技術分野】
【０００１】
本発明は、ワークの加工時に静電気の発生を抑制又は防止することができるブラシ毛素材及びブラシに関するものである。
【背景技術】
【０００２】
従来より、ワークのバリ取り、研削、研磨などの表面加工を行う際に使用されるブラシとして、例えば、特許文献１に係る１種類のブラシ毛を備えたブラシが知られている。すなわち、特許文献１に係るブラシは、ブラシ材の基部を樋状チャンネルに保持させてなるチャンネルブラシを、ロールに螺旋巻きしてなるロールブラシにおいて、チャンネルブラシの両端にブラシ材を植装しない空チャンネル部を延設し、該空チャンネル部をチャンネルブラシの巻端においてロールに巻き付け溶接したものである。
このような従来のブラシにおいては、主として金属製のブラシ毛が用いられており、用途に応じて、その他の素材（例えば、樹脂、動物性繊維、植物性繊維等）のブラシ毛も用いられている。
【先行技術文献】
【特許文献】
【０００３】
【特許文献１】特開平３−１１４４０７号公報
【特許文献２】特開２０１１−１８９４６１号公報
【発明の概要】
【発明が解決しようとする課題】
【０００４】
しかし、従来のブラシ毛素材は、ワークの表面加工時、特にブラシの回転数やワークへの押圧力が大きい場合に静電気が発生し易く、加工によって生じたバリ等の粉塵がブラシに付着し易かった。ブラシに付着した粉塵は、ワークにキズを付けるなど、加工精度に悪影響を及ぼす虞があった。
そのため、ワークの加工時に静電気の発生を抑制又は防止することができるブラシ毛素材及びブラシの提供が望まれていた。
【０００５】
本発明は、ワークの加工時に静電気の発生を抑制又は防止することができるブラシ毛素材を提供することを目的とする。
また、本発明は、ワークの加工時に静電気の発生を抑制又は防止することができるブラシを提供することを目的とする。
【課題を解決するための手段】
【０００６】
本発明のブラシ毛素材は、線状の金属ブラシ毛素材と、静電気の発生を抑制又は防止する線状のブラシ毛素材である静電気防止ブラシ毛素材とを有する芯材部の周囲を、樹脂に砥粒を混入して形成された砥粒混入樹脂素材によって覆ってなることを特徴とする。
【０００７】
また、本発明のブラシ毛素材は、線状の金属ブラシ毛素材と、静電気の発生を抑制又は防止する線状のブラシ毛素材である静電気防止ブラシ毛素材と、線状の紙ブラシ毛素材と、を含む芯材部の周囲を、樹脂素材によって覆ってなることを特徴とする。
【０００８】
また、本発明のブラシ毛素材は、前記発明において、前記芯材部は、線状の樹脂ブラシ毛素材を更に有することを特徴とする。
【０００９】
また、本発明のブラシ毛素材は、前記発明において、前記ブラシ毛素材の周囲を、静電気の発生を抑制又は防止する樹脂素材である静電気防止樹脂素材によって覆ってなることを特徴とする。
【００１０】
また、本発明のブラシは、前記発明のブラシ毛素材を備えたことを特徴とする。
【発明の効果】
【００１１】
本発明によれば、ワークの加工時に静電気の発生を抑制又は防止することができるブラシ毛素材を提供することができる。
【００１２】
また、本発明によれば、ワークの加工時に静電気の発生を抑制又は防止することができるブラシを提供することができる。
【図面の簡単な説明】
【００１３】
【図１】本発明の実施の形態１に係るブラシ毛素材を模式的に示す断面図である。
【図２】ブラシ毛素材１を示す斜視図である。
【図３】ブラシ毛素材１の他の外形形状を示す模式図である。
【図４】４本のブラシ毛素材１を編んで形成したブラシ毛を示す斜視図である。
【図５】４本のブラシ毛素材１を束ねて樹脂素材によってカバーリングしたブラシ毛を示す斜視図である。
【図６】本発明の実施の形態２に係るブラシ毛素材１を模式的に示す断面図である。
【図７】本発明の実施の形態３に係るブラシ毛素材１を模式的に示す断面図である。
【図８】本発明の実施の形態４に係るブラシ毛素材１を模式的に示す断面図である。
【発明を実施するための形態】
【００１４】
（実施の形態１）
以下、本発明の実施の形態１に係るブラシ毛素材１について図１〜図５を参照しながら詳細に説明する。図１は、本発明の実施の形態１に係るブラシ毛素材１を模式的に示す断面図である。なお、図１（図６〜図８も同様）においては、図示の便宜上、芯材部４の構成を疎に描いてあるが、実際は、隣接する各構成部材同士が密接している。図２は、ブラシ毛素材１を示す斜視図であり、（ａ）は直線状に成形されたブラシ毛素材１を示し、（ｂ）は波線状に成形されたブラシ毛素材１を示している。図３は、ブラシ毛素材１の他の外形形状を示す模式図であり、（ａ）は三角形、（ｂ）は四角形、（ｃ）は六角形、（ｄ）は八角形、（ｅ）は十字形、（ｆ）は楕円形を示している。図４は、４本のブラシ毛素材１を編んで形成したブラシ毛を示す斜視図である。図５は、４本のブラシ毛素材１を束ねて樹脂素材によってカバーリングしたブラシ毛を示す斜視図である。
【００１５】
図１に示すように、本発明の実施の形態１に係るブラシ毛素材１は、線状の金属ブラシ毛素材２と、静電気の発生を抑制又は防止する線状のブラシ毛素材である静電気防止ブラシ毛素材３とを有する芯材部４の周囲を、樹脂に砥粒を混入して形成された砥粒混入樹脂素材５によって覆ってなる。
【００１６】
線状の金属ブラシ毛素材２は、周知・慣用技術により形成された金属線であり、例えば、鉄、銅、アルミニウム、チタン、ニッケル、クロム、及びこれらの合金などから形成される。金属ブラシ毛素材２の材質や線径等は、加工するワークに応じて適宜選択される。
【００１７】
静電気防止ブラシ毛素材３は、周知・慣用技術により形成された線素材であり、例えば、炭素繊維等から形成され、静電気の発生を抑制又は防止できれば、その材質は特に限定されない。また、静電気防止ブラシ毛素材３の材質や線径等は、加工するワークに応じて適宜選択される。
【００１８】
芯材部４は、金属ブラシ毛素材２と、静電気防止ブラシ毛素材３とによって密に構成されている。金属ブラシ毛素材２と静電気防止ブラシ毛素材３との混合割合は、加工するワークに応じて設定される。
【００１９】
砥粒混入樹脂素材５は、周知の合成樹脂（以下、適宜、単に「樹脂」と記すこともある）素材に周知の砥粒を混入して形成されている。合成樹脂素材は、例えば、ポリアミド系樹脂、ポリプロピレン、ポリエチレン、ポリ塩化ビニル、ポリイミド、ポリマー、ポリエステル、ポリプラスティック、ピーク、芳香族ポリアミド系耐熱性繊維等である。
【００２０】
また、上記砥粒は、所定の研削又は研磨用の周知のパウダー等であり、例えば、ダイヤモンド、シリコンカーバイト、アルミナ、酸化セリウム、硬質ガラス、水晶等である。また、砥粒の外形形状は、円形、三角形、四角形などの多角形のものを用いることができる。
【００２１】
芯材部４の周囲を砥粒混入樹脂素材５によって覆う場合、いわゆるカバーリングやコーティングによって行うことができる。すなわち、カバーリングは、筒状に形成した砥粒混入樹脂素材５によって芯材部４の外周囲を覆ったり、砥粒混入樹脂素材５により形成した紐部材によって、芯材部４の外周囲に巻き付けることである。また、砥粒混入樹脂素材５により形成した紐部材を編んで袋状にしたもので芯材部４の外周囲を覆ってもよい。
【００２２】
また、コーティングには、例えば、電着、蒸着、熱溶着、あるいはメッキ処理等がある。コーティング量（厚さ）は、加工するワークに応じて適宜設定される。
【００２３】
以上のように構成されたブラシ毛素材１を、図２（ａ）に示すように、直線状に成形したり、図２（ｂ）に示すように、波線状に成形することができる。
【００２４】
また、図３の（ａ）〜（ｆ）に例示するように、ブラシ毛素材１の外形形状（断面の外形形状）を、円形のみならず、三角形、四角形、六角形、八角形、十字形、楕円形等に成形してもよい。
【００２５】
また、以上のように構成された複数の同種又は異種のブラシ毛素材１を、図４に示すように、編み込んで（例えば、四つ編み）、径の太いブラシ毛素材を作製することができる。  また、図５に示すように、複数の同種又は異種のブラシ毛素材１を束ね、これに例えば樹脂製の紐状部材１０を巻いて一体化することにより、径が異なるブラシ毛素材を作製することができる。
【００２６】
また、図示を省略するが、以上のように構成されたブラシ毛素材１を備えたブラシを提供することができる。すなわち、以上のように構成されたブラシ毛素材１をチャンネル部材（図示せず）に嵌め込んだり、デッキ部材（図示せず）に埋め込んで形状を整えることにより、チャンネルブラシ、植込みブラシ、溶着ブラシ等とすることができる。また、これらのブラシを所望の形状にして、ロールブラシ、ホイールブラシ、コイルブラシ、筒型ブラシ、捻じりブラシ等とすることができる。
これにより、ワークの研削・研磨等の加工に最適な形状、強さ、弾力等を備え、かつ、静電気の発生を効果的に抑制又は防止することができるブラシを得ることができる。
【００２７】
以上に説明した実施の形態１に係るブラシ毛素材１によれば、以下に示す各効果が奏される。実施の形態１に係るブラシ毛素材１は、線状の金属ブラシ毛素材２と、静電気の発生を抑制又は防止する線状のブラシ毛素材である静電気防止ブラシ毛素材３とを有する芯材部４の周囲を、樹脂に砥粒を混入して形成された砥粒混入樹脂素材５によって覆ってなる。そのため、ワークの加工時に静電気の発生を抑制又は防止することができるブラシ毛素材１を提供することができる。
【００２８】
また、芯材部４の周囲を砥粒混入樹脂素材５によって覆うことで、ブラシ毛素材１に所望の腰の強さ・強度・研磨（研削）特性を容易に付与することができ、かつ、芯材部４の金属素材２８の破損（飛散）を効果的に抑制することができる。
【００２９】
また、上記ブラシ毛素材１を備えたブラシを提供することにより、ワークの研削・研磨等の加工に最適な形状、強さ、弾力等を備え、かつ、静電気の発生を効果的に抑制又は防止することができるブラシを得ることができる。
【００３０】
次に、本発明の他の実施形態について説明する。他の実施形態については、主として、実施の形態１とは異なる点を中心に説明し、実施の形態１と同様の構成については、同じ符号を付し、詳細な説明を省略する。他の実施の形態において特に説明しない点は、実施の形態１についての説明が適宜適用又は援用される。
【００３１】
（実施の形態２）
次に、本発明の実施の形態２に係るブラシ毛素材１について図６を参照しながら説明する。図６は、本発明の実施の形態２に係るブラシ毛素材１を模式的に示す断面図である。  図６に示すように、実施の形態２に係るブラシ毛素材１は、その芯材部４が、線状の樹脂ブラシ毛素材６を更に有する点が、上記実施の形態１に係るブラシ毛素材１と異なる。
樹脂ブラシ毛素材６は、周知の合成樹脂からなり、例えば、ポリアミド系樹脂、ポリプロピレン、ポリエチレン、ポリ塩化ビニル、ポリイミド、ポリマー、ポリエステル、ポリプラスティック、ピーク、芳香族ポリアミド系耐熱性繊維等である
樹脂ブラシ毛素材６の材質や線径等は、加工するワークに応じて適宜選択される。
【００３２】
ブラシ毛素材１のその他の構成及び用途は、前記実施の形態１のブラシ毛素材の場合と同様であるので、重複説明を省略する。
【００３３】
以上に説明した実施の形態２に係るブラシ毛素材１によれば、前記実施の形態１のブラシ毛素材１と同様の効果が奏されると共に、以下に示す各効果が奏される。
実施の形態２に係るブラシ毛素材１は、上記実施の形態１に係るブラシ毛素材１の構成に加え、芯材部４に線状の樹脂ブラシ毛素材６を有する。そのため、樹脂ブラシ毛素材６の量を調整することにより、ブラシ毛素材１の腰の強さ・強度・研磨（研削）特性を更にきめ細かく設定・調整することができる。
【００３４】
（実施の形態３）
次に、本発明の実施の形態３に係るブラシ毛素材１について図７を参照しながら説明する。図７は、本発明の実施の形態３に係るブラシ毛素材１を模式的に示す断面図である。  図７に示すように、実施の形態３に係るブラシ毛素材１は、線状の金属ブラシ毛素材２と、静電気防止ブラシ毛素材３と、線状の紙ブラシ毛素材７と、を含む芯材部４の周囲を、樹脂素材８によって覆ってなる。
すなわち、実施の形態３に係るブラシ毛素材１は、上記実施の形態１に係るブラシ毛素材１と比較した場合に、芯材部４が、線状の紙ブラシ毛素材７を更に有し、かつ、砥粒混入樹脂素材５の代わりに樹脂素材８を有する点が、上記実施の形態１に係るブラシ毛素材１と異なる。
紙ブラシ毛素材７は、本願出願人が特許文献２で開示しているように、紙シートを丸めて線状（棒状）とした後、捩じり、縒ることによって作製したブラシ毛素材である。
また、樹脂素材８は、砥粒を混入していない樹脂素材であり、上述した周知の合成樹脂である。
【００３５】
ブラシ毛素材１のその他の構成及び用途は、前記実施の形態１のブラシ毛素材の場合と同様であるので、重複説明を省略する。
【００３６】
以上に説明した実施の形態３に係るブラシ毛素材１によれば、前記実施の形態１のブラシ毛素材１と同様の効果が奏されると共に、以下に示す各効果が奏される。
実施の形態３に係るブラシ毛素材１は、線状の金属ブラシ毛素材２と、静電気防止ブラシ毛素材３と、線状の紙ブラシ毛素材７と、を含む芯材部４の周囲を、樹脂素材８によって覆ってなる。そのため、合成樹脂製ブラシ毛等にない、紙独特の柔らかさや、捻じりと縒りによる先端部の柔らかさ、摩擦力、弾力等を有するブラシ毛素材を提供することができる。また、研磨ブラシとして、腰の強さ、長さを容易に加工・調整することができ、ワークに適した特性を付与し易い。
【００３７】
（実施の形態４）
次に、本発明の実施の形態４に係るブラシ毛素材１について図８を参照しながら説明する。図８は、本発明の実施の形態４に係るブラシ毛素材１を模式的に示す断面図である。  図８に示すように、実施の形態４に係るブラシ毛素材１は、実施の形態１に係るブラシ毛素材１の周囲を、静電気の発生を抑制又は防止する樹脂素材である静電気防止樹脂素材９によって覆ってなる。
【００３８】
静電気防止樹脂素材９は、周知・慣用技術により形成された樹脂素材であり、例えば、炭素繊維等からなり、静電気の発生を抑制又は防止できれば、その材質は特に限定されない。また、静電気防止樹脂素材９の材質や形成厚さ等は、加工するワークに応じて適宜選択される。
【００３９】
ブラシ毛素材１のその他の構成及び用途は、前記実施の形態１のブラシ毛素材の場合と同様であるので、重複説明を省略する。
【００４０】
以上のように、実施の形態４のブラシ毛素材１によれば、前記実施の形態１のブラシ毛素材１と同様の効果が奏されると共に、以下に示す効果が奏される。
すなわち、実施の形態４のブラシ毛素材１は、実施の形態１に係るブラシ毛素材１の周囲を、静電気の発生を抑制又は防止する樹脂素材である静電気防止樹脂素材９によって覆ってなる。そのため、前記実施の形態１のブラシ毛素材１の場合よりも、更に多くの静電気防止素材を有しており、静電気の発生を更に効果的に抑制又は防止することができる。
【００４１】
以上、本発明の一実施形態について説明したが、本発明は、前述した実施の形態に制限されるものではなく、適宜変更が可能である。例えば、前記実施の形態４に係るブラシ毛素材１においては、前記実施の形態１に係るブラシ毛素材１の周囲を静電気防止樹脂素材９によって覆うものとして説明したが、これに制限されず、前記実施の形態２又は前記実施の形態３に係るブラシ毛素材１の周囲を静電気防止樹脂素材９によって覆ってもよい。これにより、前記実施の形態４の場合と同様の効果を期待できる。
【００４２】
また、前記実施の形態１においては、４本のブラシ毛素材１を編んだり、束ねることによって、ブラシ毛を作製する例を示したが、これに限定されず、３本未満又は５本以上のブラシ毛素材１を編んだり、束ねることによってブラシ毛を作製してもよい。
【００４３】
また、前記実施の形態１においては、前記実施の形態１に係るブラシ毛素材１を備えたブラシについて説明したが、これに限定されず、前記実施の形態２〜４に係るブラシ毛素材１を備えたブラシを作製することもできる。これにより、前記実施の形態２〜４に係るブラシ毛素材１の特性を備えたブラシを提供することができる。
【００４４】
また、前記実施の形態１〜４においては、工業製品の部品であるワークの研削・研磨加工に使用されるブラシ毛素材１を例にして説明したが、これに限定されず、一般家庭や航空機、船舶、各種車両等で使用される絨毯、ソファー、掃除機等、静電気の発生が好ましくない物・製品に対しても、本発明を適用することができる。この場合、用途に応じて、金属ブラシ毛素材２や砥粒の使用を省略することができる。
【００４５】
また、前記実施の形態３においては、金属ブラシ毛素材２を備えるものとして説明したが、この金属ブラシ毛素材２に代えて、より柔らかな材質の、例えば、動物性繊維、植物性繊維、ゴム、スポンジ及び皮革から選ばれた一又は二以上の素材からなるブラシ毛を用いることもできる。これにより、工業製品の加工等に使用されるブラシに対してのみならず、ペット等の動物に使用されるブラシに対しても本発明を適用することができる。
【符号の説明】
【００４６】
１  ブラシ毛素材
２  金属ブラシ毛素材
３  静電気防止ブラシ毛素材
４  芯材部
５  砥粒混入樹脂素材
６  樹脂ブラシ毛素材
７  紙ブラシ毛素材
８  樹脂素材
９  静電気防止樹脂素材
【図１】
2017170080.tif 000003
【図２】
2017170080.tif 000004
【図３】
2017170080.tif 000005
【図４】
2017170080.tif 000006
【図５】
2017170080.tif 000007
【図６】
2017170080.tif 000008
【図７】
2017170080.tif 000009
【図８】
2017170080.tif 000010